(57)【要約】      （修正有）【課題】身体を周回する周回部の周方向の長さを調整し、調整された周回部をこの長さのまま維持する長さ調整装置及びこれを備えた衣服を提供する。【解決手段】身体を周回する周回部を周方向に分離して複数の周回片し、周回片は、身頃に配設された第１の周回片本体と、第１の周回片本体の先端に設けられ、周回片に設けた開口部に進退可能に挿入される挿入部を有し、挿入部は、弾性部材を介して周回片に対し周回方向に接続され、周回片は、身頃に配設され且つ挿入部が進退可能に挿入される開口部を有する第２の周回片本体と、開口部から周回片に向けて延出し、第１の周回片本体と重なり合う延出部を有し、第１の周回片本体の延出部と対向可能な位置に第１の係合部を配設し、延出部は、挿入部が開口部に挿入された際に、第１の周回片本体と対向する位置に、第１の係合部と係合して弾性部材の伸縮を阻止する第２の係合部が形成されてなる。【選択図】図２
2008297647.tif 000002
【特許請求の範囲】
【請求項１】
衣服の身頃に配設され、当該衣服を着用する着用者の身体を周回する周回部の身体周方向の長さを調整する長さ調整装置であって、
前記周回部を前記身体周方向の所定位置で複数に分離して複数の周回片とし、
一方の周回片は、周回方向に沿った一方の縁部が前記身頃に配設されてなる第１の周回片本体と、当該第１の周回片本体の先端に設けられ、他方の周回片に設けた開口部に進退可能に挿入される挿入部と、を有し、
前記挿入部は、弾性部材を介して他方の周回片に対し前記周回方向に接続されてなり、
前記他方の周回片は、周回方向に沿った一方の縁部が前記身頃に配設されてなり且つ前記挿入部が進退可能に挿入される開口部を有する第２の周回片本体と、前記開口部の開口端縁の一部から前記一方の周回片に向けて延出し、前記挿入部が当該開口部に挿入された際に、前記第１の周回片本体と重なり合う延出部と、を有し、
前記第１の周回片本体の前記延出部と対向可能な位置に第１の係合部を配設し、
前記延出部は、前記挿入部が当該開口部に挿入された際に、前記第１の周回片本体と対向する位置に、前記第１の係合部と係合して前記弾性部材の伸縮を阻止する第２の係合部が形成されてなる長さ調整装置。
【請求項２】
前記第１の係合部及び前記第２の係合部が面ファスナからなる請求項１記載の長さ調整装置。
【請求項３】
前記延出部は、前記周回部が着用者の身体に周回された際に、着用者側に配設されてなる請求項１または請求項２記載の長さ調整装置。
【請求項４】
前記第１の係合部は、ループ状の面ファスナからなり、前記第２の係合部は、フック状の面ファスナからなる請求項３記載の長さ調整装置。
【請求項５】
前記挿入部は、前記周回方向に略略垂直な方向の長さが、当該挿入部の周回方向先端に向けて短くなるよう、当該周回方向に沿った両縁部のうち前記身頃側に配設される縁部がテーパ状に形成されてなる請求項１ないし請求項４のいずれか一項に記載の長さ調整装置。
【請求項６】
前記挿入部のテーパ状を有する縁部の基端と、前記身頃との境界位置に、切欠きが形成されてなる請求項５記載の長さ調整装置。
【請求項７】
前記挿入部は、前記周回方向に略略垂直な方向の長さが、当該挿入部の周回方向先端に向けて短くなるよう、前記周回方向に沿った両縁部がテーパ状に形成されてなる請求項５または請求項６記載の長さ調整装置。
【請求項８】
生地を重ね合わせて袋状にした襠部をさらに有し、
前記襠部は、前記重ね合わせた一方の生地によって画定される開口端部の少なくとも一部が、前記第１の周回片本体の、前記挿入部が当該開口部に挿入された際に、前記延出部と重なり合う領域に取付けられると共に、前記重ね合わせた他方の生地によって画定される開口端部の少なくとも一部が、前記延出部に取付けられてなり、且つ、当該周回方向の長さが、前記周回部から遠ざかる方向に向けて短くなるよう、前記周回方向に略垂直な方向に沿った両縁部のうち当該延出部の先端側の縁部がテーパ状に形成されてなる前記請求項１ないし請求項７のいずれか一項に記載の長さ調整装置。
【請求項９】
前記周回部は、着用者のウエストを周回するベルト部であり、当該ベルト部は、前記身頃の脇線位置近傍で分離されてなる請求項１ないし請求項８のいずれか一項に記載の長さ調整装置。
【請求項１０】
前記開口部の開口端縁が前記脇線位置に配置されてなる請求項９記載の長さ調整装置。
【請求項１１】
前記一方の周回片が前身頃側に配設されると共に、前記他方の周回片が後身頃側に配設されてなる請求項１ないし請求項１０のいずれか一項に記載の長さ調整装置。
【請求項１２】
前記ベルト部に、前記開口部の開口端縁と、ベルト通しの前身頃側端縁とが一致するように当該ベルト通しが配設されてなる請求項１１記載の長さ調整装置。
【請求項１３】
着用者が装着する衣服の身頃に、請求項１ないし請求項１２のいずれか一項に記載の長さ調整装置を取付けてなる長さ調整装置付き衣服。
【発明の詳細な説明】
【技術分野】
【０００１】
本発明は、着用者の身体を周回する周回部の身体周方向の長さを、着用者のサイズに応じて調整する長さ調整装置、及びこの長さ調整装置を備えた衣服に関する。
【背景技術】
【０００２】
従来から、着用者のウエストサイズに合わせてベルト部のサイズを自動調節できるズボン、スカート、ワンピース等のウエスト調節機能付衣服が種々紹介されている。例えば、ズボン等のポケットまたはタック部分でベルト部を複数、例えば、前後に分割し、分割した一方のベルト部（第１のベルト部）を他方のベルト部（第２のベルト部）の内側（裏側）に重ねて配置すると共に、その内側で第１のベルト部を第２のベルト部に弾性材により連結することで、ズボン等のベルト部を着用者のウエストに合わせて伸縮させるウエスト調節機能付衣服が紹介されている。（例えば、特許文献１〜４参照）。
【０００３】
また、衣服の脇ポケットにおいて、前布と補助布を相対移動自在に重ね、前布上端に前ベルトを、補助布上端に後ベルトを縫い付けて前ベルトの挿入端部を後ベルトの開口端縁から出し入れ自在とし、前ベルト及び後ベルトを弾性部材により弾性的に接続したウエスト調節機能付衣服も紹介されている。このウエスト調節機能付衣服は、衣服のベルト部が着用者のウエストに合わせて伸縮し、前記ベルト部のウエストサイズを自動的に増減調節できることに加え、前記開口端縁をベルト通しの長さ方向と傾斜する方向に形成し、ベルト通しにより被覆することにより、開口端縁がベルト通しによりほぼ完全に被覆され、外部から見えることがなく、その見栄えを良好とすることができる。（例えば、特許文献５参照）。
【特許文献１】特開平７−３２４２０５号公報
【特許文献２】特開平８−３８０３号公報
【特許文献３】特開平８−３８０４号公報
【特許文献４】特開平８−１１３８０５号公報
【特許文献５】特開２０００−１９２３０４号公報
【発明の開示】
【発明が解決しようとする課題】
【０００４】
しかしながら、特許文献１及び２に記載されたウエスト調節機能付衣服は、第１のベルト部を第２のベルト部に重ねるため、その重なり部分で外側に位置する第２のベルト部の開口部の開口端縁が切断線として露出する。したがって、ウエスト部の見栄えを良好とすることが要求されていた。
【０００５】
そこで、特許文献３及び４に記載されたウエスト調節機能付衣服は、前記切断線をベルト通しにより被覆（正確には物理的に被覆できない）するかの如く隠すことで、この開口端縁の切断線部分が認識されないようにし、ウエスト部の見栄えを良好にしている。しかしながら、このウエスト調節機能付衣服は、ベルト通しの一端縁と前記開口部の開口端縁がほぼ重なった状態でしか、その開口部の開口端縁を被覆できず、開口部の開口端縁を完全に被覆し、外部から開口部の開口端縁を完全に見えないようにすることができない。特に、ベルト通しにより開口部の開口端縁を超えて被覆しようとしても、開口部の開口端縁を越え、相対変位する両者間に縫い付けを行うことになり、ベルト部のウエストサイズの自動調節が不可能となり、ベルト部のウエストサイズの自動調節が困難となる。
【０００６】
また、特許文献５に記載されたウエスト調節機能付衣服は、開口端縁がベルト通しによりほぼ完全に被覆され、外部から見えることがなく、その見栄えを良好とすることができるが、ベルト部のウエストサイズが常に自動的に増減調節されるため、当該ベルト部を着用者のウエストサイズに合わせた後、ベルト部をこの着用者のサイズに適した長さのまま固定することができなかった。
【０００７】
本発明は、このような事情に鑑みなされたものであり、着用者の身体を周回する周回部の身体周方向の長さを調整可能であることは勿論のこと、着用者に適した長さに調整した当該周回部を、この長さのまま維持することが可能な長さ調整装置及びこの長さ調整装置を備えた衣服を提供することを目的とする。
【課題を解決するための手段】
【０００８】
この目的を達成するため本発明は、衣服の身頃に配設され、当該衣服を着用する着用者の身体を周回する周回部の身体周方向の長さを調整する長さ調整装置であって、前記周回部を前記身体周方向の所定位置で複数に分離して複数の周回片とし、一方の周回片は、周回方向に沿った一方の縁部が前記身頃に配設されてなる第１の周回片本体と、当該第１の周回片本体の先端に設けられ、他方の周回片に設けた開口部に進退可能に挿入される挿入部と、を有し、前記挿入部は、弾性部材を介して他方の周回片に対し前記周回方向に接続されてなり、前記他方の周回片は、周回方向に沿った一方の縁部が前記身頃に配設されてなり且つ前記挿入部が進退可能に挿入される開口部を有する第２の周回片本体と、前記開口部の開口端縁の一部から前記一方の周回片に向けて延出し、前記挿入部が当該開口部に挿入された際に、前記第１の周回片本体と重なり合う延出部と、を有し、前記第１の周回片本体の前記延出部と対向可能な位置に第１の係合部を配設し、前記延出部は、前記挿入部が当該開口部に挿入された際に、前記第１の周回片本体と対向する位置に、前記第１の係合部と係合して前記弾性部材の伸縮を阻止する第２の係合部が形成されてなる長さ調整装置を提供するものである。
【０００９】
この構成を備えた長さ調整装置は、着用者の身体を周回する周回部が、前記周方向の所定位置で分離された複数の周回片を有し、一方の周回片の挿入部が、弾性部材を介して他方の周回片に接続されているため、前記周回部は、前記弾性部材の付勢力に応じて、その周方向の長さを調整することができる。具体的には、前記弾性部材が弾性力に抗して伸びた際には、前記周回部の周回方向の長さが、弾性部材の延びた長さ分に応じて長くなり、弾性部材が弾性力によって縮んだ際には、当該周回部の周回方向の長さが、弾性部材の縮んだ長さ分に応じて短くなる。これにより、着用者の身体を周回する周回部の身体周方向の長さを、着用者のサイズ、あるいは着用者が望むサイズに合わせて簡単に調整することができる。
【００１０】
さらに、第１の周回片本体に形成された第１の係合部と、他方の周回片の延出部に形成された第２の係合部とを係合させることで、前記弾性部材の伸縮を阻止することができるため、前記第１の係合部と第２の係合部とが係合した位置で、前記周回部の長さを固定することができる。したがって、前記弾性部材によって着用者に適した長さに調整された周回部を、この長さのまま維持することができる。
【００１１】
前記第１の係合部及び前記第２の係合部としては、例えば、面ファスナを採用することができる。このように面ファスナを使用することで、前記利点に加え、第２の係合部と前記第１の係合部とが重ねられた際の厚さが厚くなることを防止することができると共に、係合及び係合解除を簡単に行うことができる。
【００１２】
また、本発明にかかる長さ調整装置では、前記延出部は、前記周回部が着用者の身体に周回された際に、着用者側に配設されるよう構成することができる。このように構成することで、前記利点に加え、周回部の見栄えをより良好にすることができる。また、この構成の場合、前記第１の係合部をループ状の面ファスナから構成し、前記第２の係合部をフック状の面ファスナから構成することができる。このようにすることで、着用者が、身体と周回部との間に別の衣服等を着用していた場合であっても、ループ状の面ファスナ（第１の係合部）が着用者側に向くことになるため、第２の係合部（フック状の面ファスナ）が前記別の衣服等に引っ掛かることを防止することができる。したがって、前記別の衣服等に不具合を生じさせたり、着用感が悪くなる等の問題が生じることもない。
【００１３】
そしてまた、本発明にかかる長さ調整装置では、前記挿入部は、前記周回方向に略略垂直な方向の長さが、当該挿入部の周回方向先端に向けて短くなるよう、当該周回方向に沿った両縁部のうち前記身頃側に配設される縁部をテーパ状に形成することができる。このように構成することで、前記挿入部は、前記開口部に先に挿入される先端の幅が、基端の幅よりも短くなるため、前記利点に加え、前記開口部に対する前記挿入部の挿入及び引出しをさらにスムーズに行うことができる。
【００１４】
また、前記挿入部の周回方向に沿った両縁部のうち前記身頃側に配設される縁部をテーパ状に形成した構成の場合、前記挿入部のテーパ状を有する縁部の基端と、前記身頃との境界位置に切欠きを形成することができる。この位置に切欠きを形成することで、前記利点に加え、前記弾性部材が伸びて、前記挿入部が前記開口部から外部に出現した（抜き出された）際に、挿入部の基端側が不自然にだぶついて、一方の周回片と他方の周回片との間に隙間が生じることを防止することができる。したがって、周回部の見栄えをより一層良好にすることができる。
【００１５】
さらにまた、前記挿入部は、前記周回方向に略略垂直な方向の長さが、当該挿入部の周回方向先端に向けて短くなるよう、前記周回方向に沿った両縁部がテーパ状に形成することもできる。このように構成することで、前記開口部に対する前記挿入部の挿入及び引出しを、より一層スムーズに行うことができる。
【００１６】
そしてまた、本発明にかかる長さ調整装置では、生地を重ね合わせて袋状にした襠部をさらに有し、前記襠部は、前記重ね合わせた一方の生地によって画定される開口端部の少なくとも一部が、前記第１の周回片本体の、前記挿入部が当該開口部に挿入された際に、前記延出部と重なり合う領域に取付けられると共に、前記重ね合わせた他方の生地によって画定される開口端部の少なくとも一部が、前記延出部に取付けられてなり、且つ、当該周回方向の長さが、前記周回部から遠ざかる方向に向けて短くなるよう、前記周回方向に略垂直な方向に沿った両縁部のうち当該延出部の先端側の縁部がテーパ状に形成された構成を備えることができる。このように構成することで、前記利点に加え、前記弾性部材が伸びて、前記挿入部が前記開口部から外部に出現した（引出された）際に、一方の周回片と他方の周回片との間に隙間（開口）が生じることを防止することができると共に、襠部に無駄な皺等が形成されることを防止することができる。このため、見栄えをより一層良好にすると共に、良好な着用感を得ることができる。
【００１７】
そしてまた、本発明にかかる長さ調整装置は、前記周回部を、着用者のウエストを周回するベルト部から構成し、このベルト部を前記身頃の脇線位置近傍で分離した構成とすることもできる。この構成の場合、前記開口部の開口端縁を前記脇線位置に配置することができる。
【００１８】
また、本発明にかかる長さ調整装置は、前記一方の周回片が前身頃側に配設されると共に、前記他方の周回片が後身頃側に配設されてなる構成を有することができる。そして、この構成の場合、前記ベルト部に、前記開口部の開口端縁と、ベルト通しの前身頃側端縁とが一致するように当該ベルト通しを配設することができる。このように構成することで、ベルト部の見栄えをより良好にすることができる。
【００１９】
さらにまた、本発明は、着用者が装着する衣服の身頃に、前述した長さ調整装置を取付けてなる長さ調整装置付き衣服を提供するものである。
【００２０】
この構成を備えた衣服は、前述した長さ調整装置を備えているため、衣服の周回部の身体周方向の長さを調整可能であると共に、着用者に適した長さに調整した当該周回部を、この長さのまま維持することができる。
【００２１】
なお、周回部としては、着用者の身体を周回する部分であれば、特に限定されるものではないが、例えば、パンツ、スカート、キュロット、上衣等のベルト部や、袖口、足口等が挙げられる。
【発明の効果】
【００２２】
本発明にかかる長さ調整装置は、一方の周回片の挿入部が、弾性部材を介して他方の周回片に接続されているため、前記弾性部材の伸縮に応じて、前記周回部の身体周方向の長さを、着用者のサイズ、あるいは着用者の望むサイズに合わせて簡単に調整することができる。また、第１の係合部と第２の係合部とを係合させることで、前記周回部の長さを固定することができるため、前記弾性部材によって着用者に適した長さに調整した周回部をこの長さのまま維持することができる。この結果、周回部を常に最適な状態で着用者の身体に装着させることができる。
【００２３】
また、本発明にかかる長さ調整装置付き衣服は、衣服の周回部の身体周方向の長さを調整可能であると共に、着用者に適した長さに調整した当該周回部を、この長さのまま維持することができる。この結果、周回部を常に最適な状態で着用者の身体に装着させることができると共に、衣服が身体からずれたりする等の不具合が生じることを防止することができる。
【発明を実施するための最良の形態】
【００２４】
次に、本発明の好適な実施の形態にかかる長さ調整装置及びこの長さ調整装置を備えた衣服について図面を参照して説明する。なお、以下に記載される実施の形態は、本発明を説明するための例示であり、本発明をこの実施の形態にのみ限定するものではない。したがって、本発明は、その要旨を逸脱しない限り、様々な形態で実施することができる。
【００２５】
図１は、本発明の実施の形態にかかる長さ調整装置を備えた衣服の全体を示す側面図、図２は、図１に示す衣服のベルト部付近を示す斜視図、図３は、図１に示す衣服の前身頃に配設された周回部の先端付近を示す平面図であって、裏側から見た状態を示す図、図４は、図１に示す衣服の後身頃に配設された周回部の先端付近を示す平面図であって、表側から見た状態を示す図、図５は、本実施の形態にかかる長さ調整装置の構成要素である袋状の襠部の斜視図、図６は、図５に示す袋状の襠部を展開した状態を示す平面図、図７は、本実施の形態にかかる長さ調整装置を分解した状態の要部を示す分解図、図８は、本実施の形態にかかる長さ調整装置の要部を示す平面部であって、表側から見た状態を示す図、図９は、図２に示すIX−IX線に沿った断面を模式的に示す図、図１０は、図２に示すＸ−Ｘ線に沿った断面を模式的に示す図、図１１は、本実施の形態にかかる長さ調整装置の構成要素である弾性部材が通常の状態の場合と、伸びた状態の場合とを比較して模式的に示す断面図である。なお、前述した各図では、説明を判りやすくするため、各部材の厚さやサイズ、拡大・縮小率等は、実際のものとは一致させずに記載した部分がある。
【００２６】
なお、本実施の形態では、衣服としてパンツを適用した場合について説明する。また、本実施の形態では、このパンツを着用者が着用した際に、着用者の身体側となる面を「裏面」として記載する。
【００２７】
図１〜図１１に示すように、本実施の形態にかかる長さ調整装置は、左前身頃１０Ｌに配設された周回片２０Ｌと、右前身頃１０Ｒに配設された周回片２０Ｒと、後身頃１０Ｂに配設された周回片２０Ｂを備えており、周回片２０Ｌと、周回片２０Ｒと、周回片２０Ｂとを接続することで、着用者の胴回りを周回するベルト部２０を構成している。
【００２８】
周回片２０Ｌは、左前身頃１０Ｌの胴回り部に沿って配設される第１の周回片本体２１と、第１の周回片本体２１の、パンツ１００の脇線１０１側に配設される先端（以下、単に「先端」という）に設けられた挿入部２３と、挿入部２３の先端に設けられた弾性部材２５を有している。
【００２９】
第１の周回片本体２１は、帯状（ベルト状）を有し、胴回り方向に沿った一方の縁部２７が、左前身頃１０Ｌの胴回り部に沿って配設されている。第１の周回片本体２１の裏面であって、挿入部２３側の端部には、ループ状の面ファスナ２６が取付けられている。また、第１の周回片本体２１の挿入部２３が配設されている側とは反対側の端部は、ベルト部２０の前開き部分を構成している。
【００３０】
挿入部２３は、胴回り方向に略略垂直な方向の長さが、挿入部２３の先端に向けて徐々に短くなるよう、当該周回方向に沿った両縁部３１及び３２が、テーパ状に形成されている。この挿入部２３は、第１の周回片本体２１側の端（以下、「基端」という）の一部が、左前身頃１０Ｌの脇線部１１Ｌに沿って、パンツ１００の裾側に向けて延出している。また、挿入部２３のパンツ１００の裾側に配置された縁部３１基端と、左前身頃１０Ｌとの境界位置（脇線部１１Ｌの上端）には、切欠き３３が形成されている。
【００３１】
弾性部材２５は、例えば、平ゴム等から形成されており、その先端が、後に詳述する第２の周回片本体５１に固定されている。
【００３２】
なお、周回片２０Ｒは、周回片２０Ｌと左右対称の形状を有しているため、その詳細な説明は、省略する。
【００３３】
周回片２０Ｂは、後身頃１０Ｂの胴回り部に沿って配設される第２の周回片本体５１と、第２の周回片本体５１の胴回り方向両端に各々配設される延出部５３を有している。
【００３４】
第２の周回片本体５１は、帯状（ベルト状）を有し、胴回り方向に沿った一方の縁部５７が、後身頃１０Ｂの胴回り部に沿って配設されている。この第２の周回片本体５１の周回片２０Ｌに接続される側の端部には、周回片２０Ｌの挿入部２３が胴回り方向に進退可能に挿入される開口部５５が形成されている。また、第２の周回片本体５１の周回片２０Ｒに接続される側の端部には、周回片２０Ｒの挿入部２３が胴回り方向に進退可能に挿入される開口部５５が形成されている。これらの開口部５５の開口端縁５６は、パンツ１００の左右の脇線１０１の位置に各々配置されている。そして、開口端縁５６は、パンツ１００のポケットの入口１１０と対向した位置にあり、ポケットへの挿入方向と、開口部５５への挿入方向が互いに反対方向となっているため、ポケットに手を入れる際に、間違って開口部５５に手を入れてしまうことを回避することができる。また、第２の周回片本体５１の胴回り方向両端部には、ベルト通し７０が、開口部５５の開口端縁５６と、ベルト通し７０の前身頃側端縁とが一致するように配設されている。
【００３５】
延出部５３は、挿入部２３が開口部５５に挿入された際に、着用者側に位置して第１の周回片本体２１と重なり合うよう、開口部５５の開口端縁５６の、着用者側に配設される領域から胴回り方向に延出している。この延出部５３の表面の先端部には、挿入部２３が開口部５５に挿入された際に、第１の周回片本体２１に取付けられているループ状の面ファスナ２６と着脱可能に係合するフック状の面ファスナ６６が取付けられている。
【００３６】
また、第１の周回片本体２１の縁部２７の、挿入部２３が開口部５５に挿入された際に延出部５３と重なり合う領域と、延出部５３の周回方向に沿ったパンツ１００の裾側の縁部５９には、特に図７に示すように、生地を重ね合わせて袋状にした襠部８０の開口端部の取付領域８１及び８２が各々取付けられている。この襠部８０は、略扇状の生地（図６参照）の略中央部を折り目８６として、左右の辺８４及び８５を縫合することで、図５及び図７に示すような略円錐状の袋状に形成されている。襠部８０の開口端部のうち、縁部２７及び５９に取付けられていない非取付領域８３は、弾性部材２５が伸びて、第１の周回片本体２１が第２の周回片本体５１から離れようとした際の動きを許容する遊び領域となっている。また、この襠部８０は、縁部２７及び５９に取付けられた際に、図２に示すように、重ねられて縫合された左右の辺８４及び８５が、パンツ１００の脇線１０１部分で、左前身頃１０Ｌ（右前身頃１０Ｒ）と後身頃１０Ｂと共に縫合されて固定される。これによって、襠部８０の折り目８６部分は、襠部８０の周回方向の長さが、パンツ１００の裾側に行くに従って短くなるようテーパ状を呈することになる。
【００３７】
次に、本実施の形態にかかる長さ調整装置が配設されたパンツ１００の具体的動作を、着用者がパンツ１００を着用する際の動作を例にとって説明する。
【００３８】
通常の状態では、弾性部材２５は伸長しておらず、図１、図２、図８及び図１０に示すように、挿入部２３は、開口部５５内に位置しており、この状態がパンツ１００のベルト部２０の最小サイズとなっている。
【００３９】
着用者がパンツを穿き、前開き部分を閉めるために、ベルト部２０の周回方向の長さを長くするには、先ず、ループ状の面ファスナ２６とフック状の面ファスナ６６との係合を解除し、左右に配設されている第１の周回片本体２１を前開き部分の両側を近づけるように引っ張ると、周回片２０Ｌの弾性部材２５及び周回片２０Ｒの弾性部材２５が、図１１（１）に示す状態（長さＬ１：通常状態）から図１１（２）に示す状態（長さＬ１＋Ｌ２）に各々伸び、ベルト部の周回方向の全体の長さは、２つの弾性部材２５が伸びた分（長さＬ２×２）通常状態よりも長くなる。ここで、着用者側には、ループ状の面ファスナ２６が向くことになるため、フック状の面ファスナ６６が、着用者の衣服等に引っ掛かることを防止することができる。
【００４０】
この時、挿入部２３は、開口部５５に対し後退して外部に引出されるが、この時、挿入部２３の縁部３１及び３２は、前述したテーパ状となっているため、挿入部２３を開口部５５からスムーズに引出すことができる。また、挿入部２３の縁部３１の基端と、左前身頃１０Ｌ（右前身頃１０Ｒ）との境界位置に、切欠き３３が形成されているため、弾性部材２５が伸びることによって、周回片２０Ｂに対し、周回片２０Ｌ（周回片２０Ｒ）が離れる方向に移動した際に、挿入部２３の基端側が不自然にだぶつくことを抑制し、挿入部２３の縁部３１と、開口部５５の開口端縁５６との間に形成される隙間が形成されることを防止することができる。さらにまた、延出部５３と第１の周回片本体２１との間には、襠部８０が配設されているため、弾性部材２５が伸びることによって、周回片２０Ｂに対し、周回片２０Ｌ（周回片２０Ｒ）が離れる方向に移動しても、周回片２０Ｂと周回片２０Ｌ（周回片２０Ｒ）との間に隙間（開口）が形成されることがなく、見栄えを良好に維持することができる。また、襠部８０は、折り目８６がテーパ状となっているため、邪魔にならず、襠部８０に無駄な皺等が形成されることを防止することができ、見栄えをより一層良好にすると共に、良好な着用感を得ることができる。そしてまた、開口部５５の開口端縁５６と、ベルト通し７０の前身頃側端縁とが一致しているため、ベルト部２０の見栄えをより良好にすることもできる。
【００４１】
以上の動作によって、ベルト部２０の周回方向の長さを調整しながら、パンツ１００の前開き部分を閉めた後、この状態で互いに対向配置されているループ状の面ファスナ２６とフック状の面ファスナ６６とを係合させる。このようにすることで、弾性部材２５が伸縮することが阻止され、ベルト部２０は、最適な長さで維持される。その後、必要に応じて、ベルト通し７０にベルトを通す。
【００４２】
なお、本実施の形態では、弾性部材２５の伸縮を阻止するために、ループ状の面ファスナ２６とフック状の面ファスナ６６とを係合させる場合について説明したが、これに限らず、弾性部材２５の伸縮を阻止するために使用する係合部は、例えば、アジャスタ機能付きのフックや各種金具、紐、紐と金具（例えば、Ｄかん）との組合せ等、任意に選択することができる。
【００４３】
また、本実施の形態では、挿入部２３の縁部３１及び３２をテーパ状に形成した場合について説明したが、これに限らず、縁部３１及び３２のいずれか一方をテーパ状にしてもよい。また、必ずしもテーパ状にしなくてもよい。
【００４４】
そしてまた、本実施の形態では、テーパ形状を有する襠部８０を配設した場合について説明したが、これに限らず、襠部の形状は、所望により任意により決定することができる。
【００４５】
また、本実施の形態では、ベルト部２０にベルト通し７０を配設した場合について説明したが、これに限らず、ベルト通し７０は必ずしも配設しなくてもよく、配設する場合には、その配設位置も任意に決定することができる。
【００４６】
さらにまた、本実施の形態では、衣服としてパンツ１００を例に取り、パンツ１００のベルト部２０の周回方向の長さを調整する場合について説明したが、衣服は、例えば、パンツ、スカート、キュロット、上衣等、特に限定されるものではなく、長さの調整を行う部位もベルト部の他、袖口や足口等、所望により決定することができる。
【図面の簡単な説明】
【００４７】
【図１】本発明の実施の形態にかかる長さ調整装置を備えた衣服の全体を示す側面図である。
【図２】図１に示す衣服のベルト部付近を示す斜視図である。
【図３】図１に示す衣服の前身頃に配設された周回部の先端付近を示す平面図であって、裏側から見た状態を示す図である。
【図４】図１に示す衣服の後身頃に配設された周回部の先端付近を示す平面図であって、表側から見た状態を示す図である。
【図５】本実施の形態にかかる長さ調整装置の構成要素である袋状の襠部の斜視図である。
【図６】図５に示す袋状の襠部を展開した状態を示す平面図である。
【図７】本実施の形態にかかる長さ調整装置を分解した状態の要部を示す分解図である。
【図８】本実施の形態にかかる長さ調整装置の要部を示す平面部であって、表側から見た状態を示す図である。
【図９】図２に示すIX−IX線に沿った断面を模式的に示す図である。
【図１０】図２に示すＸ−Ｘ線に沿った断面を模式的に示す図である。
【図１１】本実施の形態にかかる長さ調整装置の構成要素である弾性部材が通常の状態の場合と、伸びた状態の場合とを比較して模式的に示す断面図である。
【符号の説明】
【００４８】
１０Ｂ    後身頃
１０Ｌ    左前身頃
１０Ｒ    右前身頃
１１Ｌ    脇線部
２０    ベルト部
２０Ｂ    周回片
２０Ｌ    周回片
２０Ｒ    周回片
２１    第１の周回片本体
２３    挿入部
２５    弾性部材
２６    ループ状の面ファスナ
５１    第２の周回片本体
５３    延出部
５５    開口部
５６    開口端縁
６６    フック状の面ファスナ
８０    襠部
１００    パンツ
【図１】
2008297647.tif 000003
【図２】
2008297647.tif 000004
【図３】
2008297647.tif 000005
【図４】
2008297647.tif 000006
【図５】
2008297647.tif 000007
【図６】
2008297647.tif 000008
【図７】
2008297647.tif 000009
【図８】
2008297647.tif 000010
【図９】
2008297647.tif 000011
【図１０】
2008297647.tif 000012
【図１１】
2008297647.tif 000013